(57)【要約】【課題】ディスク毎の調整の回数を減らし、調整が行われることによりユーザの使用感が悪くなることを防止することができるようにする。【解決手段】ディスクの特性に応じて必要になるレーザの出力に関する補正の程度を表す調整値が、ディスクのUIDと対応付けてNVRAM３０に記憶される。あるディスクが挿入されたとき、そのディスクに設定されているUIDが読み出され、読み出されたUIDと対応付けて、調整値がNVRAM３０に記憶されているか否かが判定される。挿入されたディスクのUIDと対応付けて調整値がNVRAM３０に既に記憶されていると判定された場合、その、既に記憶されている調整値が、いま挿入されているディスクにデータを記録させるときのレーザの出力に関する補正に用いられる。本発明は、ディスクにデータを記録させる記録装置に適用することができる。【選択図】図１
2006155833.tif 000002
【特許請求の範囲】
【請求項１】
データを記録するときのレーザの出力に関する補正をディスク毎に行い、データを記録する記録装置において、
ディスクへの試し書きを含む調整により得られた調整値を、ディスクの識別情報と対応付けて記憶する記憶手段と、
挿入されたディスクの識別情報に対応付けて前記記憶手段により調整値が記憶されている場合、記憶されている調整値に基づいて補正を行い、挿入されたディスクにデータを記録する記録手段と
を備えることを特徴とする記録装置。
【請求項２】
前記識別情報は、ディスクの製造時に予め設定され、ディスクの所定の領域に記録された情報である
ことを特徴とする請求項１に記載の記録装置。
【請求項３】
前記識別情報は、ディスクが挿入されたときに記録装置自身により設定され、ディスクの所定の領域に記録された情報である
ことを特徴とする請求項１に記載の記録装置。
【請求項４】
ディスクの識別情報に対応付けて、調整値と、その調整値が得られたときの温度が前記記憶手段により記憶されている場合、
前記記録手段は、さらに、現在の温度と、調整値が得られたときの温度との差が所定の温度以上あるとき、前記記憶手段により記憶されている調整値に代えて、挿入されたディスクに試し書きを行うことによって得られた調整値に基づいて補正を行い、挿入されたディスクにデータを記録する
ことを特徴とする請求項１に記載の記録装置。
【請求項５】
データを記録するときのレーザの出力に関する補正をディスク毎に行い、データを記録する記録装置の記録方法において、
ディスクへの試し書きを含む調整により得られた調整値を、ディスクの識別情報と対応付けて記憶する記憶ステップと、
挿入されたディスクの識別情報に対応付けて前記記憶ステップの処理により調整値が記憶されている場合、記憶されている調整値に基づいて補正を行い、挿入されたディスクにデータを記録する記録ステップと
を含むことを特徴とする記録方法。
【請求項６】
データを記録するときのレーザの出力に関する補正をディスク毎に行い、データを記録する処理をコンピュータに実行させるプログラムにおいて、
ディスクへの試し書きを含む調整により得られた調整値を、ディスクの識別情報と対応付けて記憶させる記憶制御ステップと、
挿入されたディスクの識別情報に対応付けて前記記憶制御ステップの処理により調整値が記憶されている場合、記憶されている調整値に基づいて補正を行い、挿入されたディスクにデータを記録させる記録ステップと
を含むことを特徴とするプログラム。
【発明の詳細な説明】
【技術分野】
【０００１】
本発明は、記録装置および方法、並びにプログラムに関し、特に、ディスク毎の調整が行われることによりユーザの使用感が悪くなることを防止することができるようにする記録装置および方法、並びにプログラムに関する。
【背景技術】
【０００２】
近年、Hi-MD（登録商標）規格のディスクのように、従来のMD(Mini Disk)（登録商標）規格のディスクと同じ大きさで、音楽データだけでなく、パーソナルコンピュータなどで扱われる各種のデータをFAT(File Allocation Table)形式で記録させることができるような光磁気ディスクが普及してきている。
【０００３】
このようなディスクにデータを記録させる場合、そのときの周囲の温度や生産ロットの違いなどに起因してディスクの特性にばらつきがあり、場合によってはエラーレートが悪化してしまうことから、データを記録する前に、ディスク毎に、例えば、レーザパターンや出力レベルなどの、レーザの出力に関する補正が行われる。この補正は、ディスクに用意されたキャリブレーションエリアにデータの試し書きを行うなどの調整を行い、それにより得られた調整値に基づいて行われる。
【０００４】
例えば、１枚のディスクの内周、中周、外周のそれぞれの領域にキャリブレーションエリアが設けられており、それぞれの領域にあるキャリブレーションエリアを用いて調整が行われ、内周、中周、外周のそれぞれの領域にデータを記録するときのレーザパターンや出力レベルなどの補正で用いる調整値が得られる。内周の領域にデータを記録するときには、内周のキャリブレーションエリアを用いた調整により得られた調整値に基づいて補正が行われ、補正後の出力でデータの記録が行われる。
【発明の開示】
【発明が解決しようとする課題】
【０００５】
ところで、このような調整や、それにより得られた調整値に基づく補正は、ユーザがディスクを入れ替えた直後などに機器により自動的に行われる。従って、調整の際の試し書きなどに時間がかかってしまう場合、ユーザは、これから何かを記録させようとしてディスクを入れ替えたにもかかわらず、すぐにそれを行うことができず、使用感が悪くなるという課題があった。
【０００６】
例えば、上述したようなFAT形式でデータを記録させることができるディスクの場合、その用途としてディジタルカメラの記録媒体に用いることも考えられ、その場合、ディスクを入れ替えてから、調整が完了するまでの間は撮影を行うことができないとすると、特に、使用感の悪さが問題になる。
【０００７】
本発明はこのような状況に鑑みてなされたものであり、ユーザの使用感が悪くなることを防止することができるようにするものである。
【課題を解決するための手段】
【０００８】
本発明の記録装置は、データを記録するときのレーザの出力に関する補正をディスク毎に行い、データを記録する記録装置であって、ディスクへの試し書きを含む調整により得られた調整値を、ディスクの識別情報と対応付けて記憶する記憶手段と、挿入されたディスクの識別情報に対応付けて記憶手段により調整値が記憶されている場合、記憶されている調整値に基づいて補正を行い、挿入されたディスクにデータを記録する記録手段とを備えることを特徴とする。
【０００９】
識別情報は、ディスクの製造時に予め設定され、ディスクの所定の領域に記録された情報であるようにすることができる。
【００１０】
識別情報は、ディスクが挿入されたときに記録装置自身により設定され、ディスクの所定の領域に記録された情報であるようにすることができる。
【００１１】
ディスクの識別情報に対応付けて、調整値と、その調整値が得られたときの温度が記憶手段により記憶されている場合、記録手段は、さらに、現在の温度と、調整値が得られたときの温度との差が所定の温度以上あるとき、記憶手段により記憶されている調整値に代えて、挿入されたディスクに試し書きを行うことによって得られた調整値に基づいて補正を行い、挿入されたディスクにデータを記録するようにすることができる。
【００１２】
本発明の記録方法は、データを記録するときのレーザの出力に関する補正をディスク毎に行い、データを記録する記録装置の記録方法であって、ディスクへの試し書きを含む調整により得られた調整値を、ディスクの識別情報と対応付けて記憶する記憶ステップと、挿入されたディスクの識別情報に対応付けて記憶ステップの処理により調整値が記憶されている場合、記憶されている調整値に基づいて補正を行い、挿入されたディスクにデータを記録する記録ステップとを含むことを特徴とする。
【００１３】
本発明のプログラムは、データを記録するときのレーザの出力に関する補正をディスク毎に行い、データを記録する処理をコンピュータに実行させるプログラムであって、ディスクへの試し書きを含む調整により得られた調整値を、ディスクの識別情報と対応付けて記憶させる記憶制御ステップと、挿入されたディスクの識別情報に対応付けて記憶制御ステップの処理により調整値が記憶されている場合、記憶されている調整値に基づいて補正を行い、挿入されたディスクにデータを記録させる記録ステップとを含むことを特徴とする。
【００１４】
本発明の記録装置および方法、並びにプログラムにおいては、ディスクへの試し書きを含む調整により得られた調整値が、ディスクの識別情報と対応付けて記憶される。また、挿入されたディスクの識別情報に対応付けて調整値が記憶されている場合、記憶されている調整値に基づいて補正が行われ、挿入されたディスクにデータが記録される。
【発明の効果】
【００１５】
本発明によれば、ディスク毎の調整値を、ディスクの識別情報と対応付けて記憶させることができる。
【００１６】
また、本発明によれば、調整の回数を減らすことができ、調整が行われることによりユーザの使用感が悪くなることを防止することができる。
【発明を実施するための最良の形態】
【００１７】
以下に本発明の実施の形態を説明するが、本明細書に記載の発明と、発明の実施の形態との対応関係を例示すると、次のようになる。この記載は、請求項に記載されている発明をサポートする実施の形態が本明細書に記載されていることを確認するためのものである。従って、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００１８】
さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により追加される発明の存在を否定するものではない。
【００１９】
請求項１に記載の記録装置は、データを記録するときのレーザの出力に関する補正をディスク毎に行い、データを記録する記録装置（例えば、図１の記録再生装置１）であって、ディスクへの試し書きを含む調整により得られた調整値を、ディスクの識別情報（UID）と対応付けて記憶する記憶手段（例えば、図１のNVRAM３０）と、挿入されたディスクの識別情報に対応付けて前記記憶手段により調整値が記憶されている場合、記憶されている調整値に基づいて補正を行い、挿入されたディスクにデータを記録する記録手段（例えば、図５のステップＳ８の処理を実行する図１の記録再生部２８）とを備えることを特徴とする。
【００２０】
請求項５に記載の記録方法は、データを記録するときのレーザの出力に関する補正をディスク毎に行い、データを記録する記録装置（例えば、図１の記録再生装置１）の記録方法であって、ディスクへの試し書きを含む調整により得られた調整値を、ディスクの識別情報（UID）と対応付けて記憶する記憶ステップ（例えば、図５のステップＳ１０）と、
挿入されたディスクの識別情報に対応付けて前記記憶ステップの処理により調整値が記憶されている場合、記憶されている調整値に基づいて補正を行い、挿入されたディスクにデータを記録する記録ステップ（例えば、図５のステップＳ８）とを含むことを特徴とする。
【００２１】
請求項６に記載のプログラムにおいても、各ステップが対応する実施の形態（但し一例）は、請求項５に記載の記録方法と同様である。
【００２２】
以下、本発明の実施の形態について図を参照して説明する。
【００２３】
図１は、本発明を適用した記録再生装置１のハードウエア構成例を示すブロック図である。
【００２４】
記録再生装置１は、例えば、筐体に形成されたスロットに挿入されたディスク２に記録されている音楽データを再生したり、集音して得られた音声データをディスク２に記録するオーディオ機能と、撮影により得られた画像データをディスク２に記録するカメラ機能とを有するポータブル型のデバイスである。
【００２５】
ユーザは、記録再生装置１の筐体表面に設けられているスイッチなどを操作することによって、オーディオ機能を使うときのモードであるオーディオモードと、カメラ機能を使うときのモードであるカメラモードのうちからいずれかのモードを選択することができる。
【００２６】
ディスク２は、例えば、MD（登録商標）規格の光磁気ディスクや、MD規格のディスクと同じ大きさで、FAT形式でデータを記録させることができるHi-MD（登録商標）規格の光磁気ディスクである。ディスク２として、読み書き可能なCD(Compact Disc)やDVD(Digital Versatile Disk)などの光ディスクが用いられるようにしてもよい。なお、記録再生装置１に挿入されるディスクのそれぞれには、ディスクの識別情報であるUID(Unique ID)が設定され、所定の領域に記録されている。
【００２７】
図１に示すように、記録再生装置１は、メインブロック１１とカメラブロック１２から構成される。
【００２８】
メインブロック１１のメイン制御部２１は、CPU(Central Processing Unit)やRAM(Random Access Memory)などを内蔵しており、メインブロック１１の動作を制御する。また、メイン制御部２１は、シリアルバス５１を介してカメラブロック１２のカメラ用制御部６１を制御し、カメラブロック１２の動作をも制御する。
【００２９】
例えば、メイン制御部２１は、記録再生装置１のモードとしてオーディオモードが設定されているとき、操作部２２からの操作信号に応じてディスク２に記録されている音楽データを再生したり、音楽データをディスク２に記録させたりする。また、メイン制御部２１は、記録再生装置１のモードとしてカメラモードが設定されているとき、操作部２２からの操作信号に応じてディスク２に記録されている画像データを表示させたり、カメラブロック１２の各部を制御して撮影を行わせ、撮影により得られた画像データをディスク２に記録させたりする。
【００３０】
操作部２２は、モードの切り替えスイッチ、音楽データの再生、録音を指示するとき操作されるボタン、撮影を指示するとき操作されるシャッタボタン、撮影した画像を表示するとき操作されるボタンなどの各種のボタンに対するユーザの操作を受け付け、操作の内容を表す操作信号をメイン制御部２１に出力する。
【００３１】
USB I/F(Universal Serial Bus Interface)２３は、外部のPC(Personal Computer)とのインタフェースであり、メイン制御部２１による制御に従って、PCとの間でUSBケーブルを介してデータの送受信を行う。例えば、外部のPCからUSB I/F２３に対しては、音楽データの他、各種のデータが送信されてくる（ダウンロードされる）。USB I/F２３により受信されたデータは、メイン制御部２１や記録再生部２８に供給される。また、USB I/F２３から外部のPCに対しては、ディスク２から読み出され、記録再生部２８から供給されてきた音楽データや画像データなどが送信される（アップロードされる）。
【００３２】
オーディオ信号処理部２４は、マイク２７により集音され、オーディオ入出力部２５から供給されてきた音楽データに対して、例えば、1-7RLL(1-7 Run-Length Limited coding)変調処理などを行い、得られたデータを記録再生部２８に出力する。また、オーディオ信号処理部２４は、ディスク２から読み出され、記録再生部２８から供給されてきた音楽データに対して1-7RLL復調処理などを行い、得られたデータをオーディオ入出力部２５に出力する。
【００３３】
オーディオ入出力部２５は、オーディオ信号処理部２４から供給されてきた音楽データに対応する音声をスピーカ２６から出力させる。また、オーディオ入出力部２５は、マイク２７により集音された音声を表す音楽データをオーディオ信号処理部２４に出力する。
【００３４】
記録再生部２８は、読み書き（再生、記録）するデータの量に応じてバッファ２９を適宜用い、ディスク２に記録されているデータの読み出し、ディスク２に対するデータの記録を行う。例えば、記録再生部２８は、ディスク２から読み出した音楽データをオーディオ信号処理部２４に出力したり、オーディオ信号処理部２４やUSB I/F２３から供給されてきた音楽データをディスク２に記録させる。また、記録再生部２８は、ディスク２から読み出した画像データをメイン制御部２１やUSB I/F２３に出力したり、メイン制御部２１やUSB I/F２３から供給されてきた画像データをディスク２に記録させる。
【００３５】
NVRAM(Non Volatile RAM)３０は不揮発性のメモリであり、メイン制御部２１が処理する各種のデータを記憶する。後述するように、ディスクにデータを記録するときには、挿入されたディスクの特性に応じてレーザの出力に関する補正を行う必要があるが、NVRAM３０には、この補正の程度を表す調整値が、UIDに対応付けてディスク毎に記憶されている。
【００３６】
カメラブロック１２のカメラ用制御部６１は、メインブロック１１のメイン制御部２１とシリアルバス５１を介して接続され、メイン制御部２１による制御に従ってカメラブロック１２の各部を制御する。
【００３７】
例えば、カメラ用制御部６１は、撮影部６２を制御して撮影を行い、撮影により得られた画像データをJPEG(Joint Photographic Experts Group)方式で圧縮して、圧縮後のデータをメイン制御部２１に出力する。メイン制御部２１に出力された画像データは、例えば、記録再生部２８に供給され、ディスク２に記録される。
【００３８】
また、カメラ用制御部６１は、ディスク２から読み出された画像データがメイン制御部２１から供給されてきたとき、供給されてきた画像データに基づいて表示部６４に画像を表示させる。
【００３９】
撮影部６２は、CMOS(Complementary Mental Oxide Semiconductor)やCCD(Charge Coupled Device)などの撮像素子よりなり、カメラ用制御部６１による制御に従って撮影を行い、撮影により得られた画像データをカメラ用制御部６１に出力する。
【００４０】
バッファ６３は、カメラ用制御部６１が処理するデータを一時的に記憶する。
【００４１】
表示部６４は、例えば、LCD(Liquid Crystal Display)などよりなり、カメラ用制御部６１から供給されてきた画像データに基づいて画像を表示する。
【００４２】
このようなハードウエア構成を有する記録再生装置１においては、挿入されたディスクの特性に応じて必要になるレーザの出力に関する補正の程度を表す調整値などが、ディスクのUIDと対応付けてNVRAM３０に記憶される。
【００４３】
NVRAM３０に記憶されている調整値などの情報は、過去に挿入されたことのあるものと同じディスクが再度挿入され、そのディスクにデータを記録させるとき、レーザの出力に関する補正を行うために用いられる。すなわち、あるディスクが挿入されたとき、記録再生装置１においては、そのディスクに設定されているUIDが読み出され、読み出されたUIDと対応付けて、調整値がNVRAM３０に記憶されているか否かが判定される。挿入されたディスクのUIDと対応付けて調整値がNVRAM３０に既に記憶されていると判定された場合、その、既に記憶されている調整値が、いま挿入されているディスクにデータを記録させるときのレーザの出力に関する補正に用いられる。
【００４４】
これにより、記録再生装置１に初めて挿入されたときなどに調整が行われ、調整値が一度得られたディスクに関しては、後述するように、調整を行ったときとの温度差が比較的大きいなどの場合を除き、基本的には、それ以降、調整を行う必要がなくなる。
【００４５】
従って、ディスクを挿入した直後であっても、ユーザは、調整が行われるのを待つことなく、ディスクにデータを記録させることができる。記録再生装置１にはカメラ機能も用意されており、ディスクを入れ替えたときに常に調整が行われるものとすると、例えば、ディスクを入れ替えた直後のシャッターチャンスを逃すことにもなるが、そのようなことを防止することができる。
【００４６】
以上のような記録再生装置１の動作についてはフローチャートを参照して後述する。
【００４７】
ここで、記録再生部２８により行われる、レーザパターンや出力レベルなどのレーザの出力に関する補正について説明する。
【００４８】
図２は、ディスク２に形成されている領域の例を示す図である。
【００４９】
図２に示すように、例えば、１枚のディスク２の内周、中周、外周のそれぞれの領域にキャリブレーションエリア２Ａ乃至２Ｃが設けられている。記録再生部２８は、それぞれのキャリブレーションエリアに試し書きを行うことによって内周の領域（キャリブレーションエリア２Ａを含む領域）、中周の領域（キャリブレーションエリア２Ｂを含む領域）、外周の領域（キャリブレーションエリア２Ｃを含む領域）のそれぞれの領域にデータを記録するときの調整値を取得し、取得した調整値に基づいて補正したレーザパターンや出力レベルのレーザでデータの記録を行う。
【００５０】
図３は、以上のような調整により得られた調整値などの情報が登録される調整テーブルの例を示す図である。
【００５１】
図３の調整テーブルにはSLOT０乃至１９が設けられており、それぞれのSLOTに、UIDと対応付けて、調整を行ったときの温度情報と、内周、中周、外周のそれぞれの領域にデータを記録するときの補正に用いられる調整値が登録されている。図３の例においては、UIDは１２Byteの情報であり、調整を行ったときの温度情報は１Byteの情報である。また、内周の調整値、中周の調整値、外周の調整値は、それぞれ１Byteの情報である。
【００５２】
このような調整テーブルがNVRAM３０に記憶され、登録される内容がメイン制御部２１により管理される。例えば、メイン制御部２１は、記録再生部２８により取得された調整値をUIDと対応付けて調整テーブルに登録したり、調整テーブルに登録されている調整値を読み出し、それを記録再生部２８に出力したりする。
【００５３】
また、メイン制御部２１は、最近挿入されたディスクの調整値を優先的に残し、長い間挿入されていないディスクの調整値から順次消去されるように、調整テーブルに登録されている調整値の管理を行う。
【００５４】
図４は、調整テーブルに登録されている情報の並び替えや消去に用いられるSLOT順番情報の例を示す図である。
【００５５】
このSLOT順番情報は、調整テーブルの各SLOTに登録されている情報の登録順や、どのSLOTが空きSLOTであるのかを表す。
【００５６】
図４の例においては、図３のSLOT０に登録されているDisk情報（UID、温度情報、調整値）のSLOT順番は４であり、調整テーブル全体に登録されているDisk情報のうち、最新のものから数えて４番目に新しい情報であるとされている。また、図３のSLOT１に登録されているDisk情報のSLOT順番は５であり、最新のものから数えて５番目の、最も古い情報であるとされている。
【００５７】
同様に、図４の例においては、図３のSLOT２に登録されているDisk情報のSLOT順番は３であり、最新のものから数えて３番目に新しい情報であるとされている。図３のSLOT３に登録されているDisk情報のSLOT順番は１であり、最新の情報であるとされている。図３のSLOT４に登録されているDisk情報のSLOT順番は２であり、最新のものから数えて２番目に新しい情報であるとされている。
【００５８】
また、SLOT５乃至１９は空きSLOTであり、Disk情報がまだ登録されていないものであるとされている。
【００５９】
例えば、Disk情報が２０個既に登録されており、空きSLOTがない状態で、調整テーブルに登録されていないUIDが設定されているディスクのDisk情報が記録再生部２８により新たに取得されたとき、メイン制御部２１は、最も古いDisk情報（SLOT順番が２０のDisk情報）を消去し、空いたSLOTに、SLOT順番を１として、新たに取得されたDisk情報を登録する。
【００６０】
また、メイン制御部２１は、それまでSLOT順番が１であったDisk情報のSLOT順番を２、SLOT順番が２であったDisk情報のSLOT順番を３、・・・というように、SLOT順番を１ずつ繰り下げ、Disk情報を並び替える。
【００６１】
これにより、挿入されたときからの時間が経過しているディスクのDisk情報から順次消去されることになり、NVRAM３０の容量を効率的に利用することができる。また、使用頻度の高いディスクのDisk情報は記憶され続けるため、使用頻度の高いディスクに試し書きを行うことを必要最小限に抑えることが可能になる。
【００６２】
次に、記録再生装置１の動作についてフローチャートを参照して説明する。
【００６３】
始めに、図５のフローチャートを参照して、記録再生装置１の記録処理について説明する。
【００６４】
ステップＳ１において、電源スイッチをオンにする操作などによりシステムの起動が指示されたとき、メイン制御部２１は、ステップＳ２に進み、NVRAM３０に記憶されている調整テーブルをRAM（メイン制御部２１が内蔵するRAM）に展開する。
【００６５】
ステップＳ３において、ディスクが挿入されたとき、記録再生部２８は、ステップＳ４において、挿入されたディスクのUIDを読み出す。記録再生部２８により読み出されたUIDはメイン制御部２１に供給される。
【００６６】
ステップＳ５において、例えば、撮影により得られた画像データがカメラ用制御部６１から供給されてくるなどしてデータの記録が要求されたとき（WRITE要求があったとき）、ステップＳ６に進み、メイン制御部２１は調整判定処理を行う。
【００６７】
詳細については図６のフローチャートを参照して後述するが、この調整判定処理により、NVRAM３０に記憶されていた調整テーブルに、ディスクから読み出されたUIDと対応付けて調整値等の情報が登録されているか否かが確認され、その確認結果により、いま挿入されたディスクの調整を行う必要があるか否かが判断される。
【００６８】
ステップＳ７において、メイン制御部２１は、調整判定処理の結果、調整を行う必要があるか否かを判定する。ステップＳ６で行われる調整判定処理においては、基本的に、UIDと対応付けて調整値等の情報が調整テーブルに登録されている場合、調整を行う必要がないと判断され、登録されていない場合、調整を行う必要があると判断される。なお、UIDと対応付けて調整値が登録されている場合でも、登録されている調整値が得られたときの温度（調整を行ったときの温度）と、現在の温度との差が、所定の温度以上ある場合も、再度の調整が必要であると判断される。
【００６９】
メイン制御部２１は、ステップＳ７において、ステップＳ３で挿入されたディスクが、例えば、記録再生装置１に最近挿入されたことのあるディスクであることから、調整を行う必要がないと判定した場合、ステップＳ８に進む。
【００７０】
ステップＳ８において、メイン制御部２１は、記録の要求があった画像データなどのデータを記録再生部２８に出力し、ディスク２に記録させる。ここでの記録は、UIDと対応付けて調整テーブルに登録されていた調整値により補正されたレーザパターンや出力レベルで行われる。データの書き込みが行われた後、処理は終了される。
【００７１】
一方、ステップＳ７において、メイン制御部２１は、ステップＳ３で挿入されたディスクが記録再生装置１に初めて挿入されたディスクなどであることから、調整を行う必要があると判定した場合、ステップＳ９に進む。
【００７２】
ステップＳ９において、記録再生部２８は、メイン制御部２１による制御に従って、挿入されたディスクのキャリブレーションエリアに試し書きなどの調整を行い、その調整結果から調整値（内周調整値、中周調整値、外周調整値）を取得する。また、このとき、記録再生部２８は周囲の温度の情報も取得する。記録再生部２８により取得された調整値と温度情報はメイン制御部２１に出力される。
【００７３】
ステップＳ１０において、メイン制御部２１は、記録再生部２８から供給されてきた調整値と温度情報を、UIDと対応付けてNVRAM３０に保存する（調整テーブルに登録する）。これにより、いま挿入されているディスクと同じディスクが記録再生装置１に再度挿入されたときには、保存されている調整値に基づいて補正が行われ、データの書き込みが行われることになる。
【００７４】
UIDと対応付けて調整値と温度情報がNVRAM３０に保存されたとき、ステップＳ８において、記録再生部２８は、ステップＳ９で取得した調整値に基づいて補正を行い、補正後のレーザパターンや出力レベルのレーザで、メイン制御部２１から供給されてきたデータをディスクに記録させる。その後、処理は終了される。
【００７５】
次に、図６のフローチャートを参照して、図５のステップＳ６において行われる調整判定処理について説明する。
【００７６】
ステップＳ２１において、メイン制御部２１は、調整テーブルに登録されているUIDを参照し、ステップＳ２２に進み、調整テーブルに登録されているUIDの中に、図５のステップＳ４でディスクから読み出されたUIDと同一のUIDが存在するか否かを判定する。
【００７７】
メイン制御部２１は、ステップＳ２２において、調整テーブルに登録されているUIDの中に、ディスクから読み出されたUIDと同一のUIDが存在しないと判定した場合、ステップＳ２３に進み、調整を行う必要があると判断する。その後、図５のステップＳ６以降の処理が行われる。
【００７８】
一方、メイン制御部２１は、ステップＳ２２において、調整テーブルに登録されているUIDの中に、ディスクから読み出されたUIDと同一のUIDが存在すると判定した場合、ステップＳ２４に進み、データを書き込もうとしているエリアの調整値が存在するか否か、すなわち、例えば、ディスクの内周のエリアにデータを書き込もうとしている場合、内周の調整値がUIDと対応付けて調整テーブルに登録されているか否かを判定する。
【００７９】
メイン制御部２１は、ステップＳ２４において、データを書き込もうとしているエリアの調整値が存在しないと判定した場合、ステップＳ２３に進み、調整を行う必要があると判断し、それ以降の処理を行う。
【００８０】
ステップＳ２４において、メイン制御部２１は、データを書き込もうとしているエリアの調整値が存在すると判定した場合、ステップＳ２５に進み、その、調整テーブルに登録されている調整値を得るための調整を行ったときの温度と、現在の温度の差が所定の範囲内にあるか否かを、調整テーブルに登録されている温度情報と現在の温度情報から判定する。
【００８１】
ステップＳ２５において、調整テーブルに登録されている調整値を得るための調整を行ったときの温度と、現在の温度の差が所定の範囲内にないと判定した場合、メイン制御部２１は、ステップＳ２３に進み、調整を行う必要があると判断し、それ以降の処理を行う。
【００８２】
すなわち、調整を行ったときとの温度差が比較的大きい場合、温度変化によってディスクの特性も変わり、調整を再度行い、前に調整を行ったときに得られた調整値と異なる調整値により補正してデータを記録する必要があることから、このように、温度差が比較的大きい場合には、調整が必要であると判断されることになる。
【００８３】
一方、ステップＳ２５において、調整テーブルに登録されている調整値を得るための調整を行ったときの温度と、現在の温度の差が所定の範囲内にあると判定した場合、メイン制御部２１は、ステップＳ２６に進み、調整を行う必要がないと判断し、図５のステップＳ６以降の処理を行う。この場合、調整テーブルに登録されている、いま挿入されているディスクの調整値がメイン制御部２１から記録再生部２８に出力される。
【００８４】
エラーレートが悪化するのを防止するなどの理由から、調整を行い、レーザの出力に関する補正をディスク毎に行う必要があるが、以上のように、一度得られた調整値が、ディスクのUIDと対応付けて記憶されていることにより、調整の回数を減らすことができ、ディスクを入れ替える毎に調整が行われる場合に較べて、ユーザの使用感が悪くなることを防止することができる。
【００８５】
なお、以上においては、それぞれのディスクにはUIDが設定されているとしたが、このUIDは、ディスクの製造時に所定の領域に予め記録されているものであってもよいし、記録再生装置１に初めて挿入されたときに、記録再生装置１により設定され、所定の領域に記録されたものであってもよい。
【００８６】
UIDが、記録再生装置１により設定されるものである場合、記録再生部２８は、初めて挿入されたディスクを識別するものとしてメイン制御部２１により設定されたUIDをディスクの所定の領域に記録させる。また、記録再生部２８は、調整を行い、調整により得られた調整値をメイン制御部２１に供給し、新たに設定したUIDと対応付けて調整テーブルに登録させる。
【００８７】
このように、初めて挿入されたディスクに記録再生装置１自身がUIDを設定することにより、製造時にUIDが記録されていないディスクを扱う場合であっても、上述した処理により、調整の回数を減らすことができ、ユーザの使用感が悪くなることを防止することができる。
【００８８】
また、以上においては、UIDは、ディスクの所定の領域に記録されているものとしたが、記録再生装置１に挿入されるディスクがケースに覆われているものである場合、ケースに設けられる不揮発性のメモリにUIDが記憶され、この不揮発性のメモリに記憶されているUIDが、挿入されたディスクを識別する情報として用いられるようにしてもよい。
【００８９】
さらに、以上においては、ディスクが挿入された直後のタイミングで調整が行われるとしたが、他のタイミングで行われるようにしてもよい。例えば、記録再生装置１のモードがオーディオモードである場合、PCからダウンロードされた音楽データをディスクに記録させるときに補正が必要になるが、PCからダウンロードされた音楽データをバッファ２９（図１）に貯めておくことによって、調整を行う時間を確保することができる場合、その間に調整が行われるようにしてもよい。
【００９０】
記録再生装置１のモードがオーディオモードである場合、ダウンロードされる音楽データの転送レートとバッファ２９の容量から、バッファ２９にデータを貯めておくことにより確保できる時間を計算することができることから、このように、所定のタイミングで調整を行うことなども可能になる。
【００９１】
ここで、図７のフローチャートを参照して、記録再生装置１の他の記録処理について説明する。
【００９２】
ステップＳ４１において、メイン制御部２１は、記録再生装置１のモードがオーディオモードであるか否かを判定し、オーディオモードであると判定した場合、ステップＳ４２に進む。
【００９３】
ステップＳ４２において、メイン制御部２１は、PCからダウンロードされた音楽データを記録することの要求があった場合、ダウンロードされた音楽データをバッファ２９に貯めておくことにより調整を行う時間を確保することができるか否かを判定する。
【００９４】
ステップＳ４２において、メイン制御部２１は、調整を行う時間を確保することができると判定した場合、ステップＳ４３に進み、記録再生部２８により調整を行わせ、調整値を取得する。この間、ダウンロードされた音楽データはバッファ２９に貯められる。
【００９５】
ステップＳ４４において、メイン制御部２１は、取得した調整値や温度情報を、挿入されたディスクのUIDと対応付けてNVRAM３０に記憶させる。得られた調整値に基づいてレーザの出力に関する補正が記録再生部２８により行われ、バッファ２９に貯められていたデータがディスクに記録される。
【００９６】
一方、ステップＳ４１においてオーディオモードではないと判定された場合、またはステップＳ４２において、調整の時間がないと判定された場合、ダウンロードされたデータの受信以降の処理は、レーザの出力に関する調整が行われてから開始される。
【００９７】
上述した一連の処理は、ハードウエアにより実行させることもできるが、ソフトウェアにより実行させることもできる。この場合、そのソフトウェアを実行させる装置は、例えば、図８に示されるようなパーソナルコンピュータにより構成される。
【００９８】
図８において、CPU１０１は、ROM１０２に記憶されているプログラム、または、記憶部１０８からRAM１０３にロードされたプログラムに従って各種の処理を実行する。RAM１０３にはまた、CPU１０１が各種の処理を実行する上において必要なデータなどが適宜記憶される。
【００９９】
CPU１０１、ROM１０２、およびRAM１０３は、バス１０４を介して相互に接続されている。このバス１０４にはまた、入出力インタフェース１０５も接続されている。
【０１００】
入出力インタフェース１０５には、キーボード、マウスなどよりなる入力部１０６、LCDなどよりなるディスプレイ、並びにスピーカなどよりなる出力部１０７、ハードディスクなどより構成される記憶部１０８、ネットワークを介しての通信処理を行う通信部１０９が接続されている。
【０１０１】
入出力インタフェース１０５にはまた、必要に応じてドライブ１１０が接続される。ドライブ１１０には、磁気ディスク、光ディスク、光磁気ディスク、或いは半導体メモリなどよりなるリムーバブルメディア１１１が適宜挿入され、それから読み出されたコンピュータプログラムが必要に応じて記憶部１０８にインストールされる。
【０１０２】
一連の処理をソフトウェアにより実行させる場合には、そのソフトウェアを構成するプログラムが、専用のハードウエアに組み込まれているコンピュータ、または、各種のプログラムをインストールすることで、各種の機能を実行することが可能な、例えば、汎用のパーソナルコンピュータなどに、ネットワークや記録媒体からインストールされる。
【０１０３】
この記録媒体は、図８に示されるように、装置本体とは別に、ユーザにプログラムを提供するために配布される、プログラムが記録されている磁気ディスク（フレキシブルディスクを含む）、光ディスク（CD-ROM(Compact Disk-Read Only Memory)，DVD(Digital Versatile Disk)を含む）、光磁気ディスク（MD（登録商標）(Mini-Disk)を含む）、もしくは半導体メモリなどよりなるリムーバブルメディア１１１により構成されるだけでなく、装置本体に予め組み込まれた状態でユーザに提供される、プログラムが記録されているROM１０２や、記憶部１０８に含まれるハードディスクなどで構成される。
【０１０４】
なお、本明細書において、各ステップは、記載された順序に従って時系列的に行われる処理はもちろん、必ずしも時系列的に処理されなくとも、並列的あるいは個別に実行される処理をも含むものである。
【図面の簡単な説明】
【０１０５】
【図１】本発明を適用した記録再生装置のハードウエア構成例を示すブロック図である。
【図２】ディスクに形成される領域の例を示す図である。
【図３】調整テーブルの例を示す図である。
【図４】SLOT順番情報の例を示す図である。
【図５】記録再生装置の記録処理について説明するフローチャートである。
【図６】図５のステップＳ６において行われる調整判定処理について説明するフローチャートである。
【図７】記録再生装置の他の記録処理について説明するフローチャートである。
【図８】パーソナルコンピュータの構成例を示すブロック図である。
【符号の説明】
【０１０６】
１  記録再生装置，  ２  ディスク，  １１  メインブロック，  １２  カメラブロック，  ２１  メイン制御部，  ３０  NVRAM
【図１】
2006155833.tif 000003
【図２】
2006155833.tif 000004
【図３】
2006155833.tif 000005
【図４】
2006155833.tif 000006
【図５】
2006155833.tif 000007
【図６】
2006155833.tif 000008
【図７】
2006155833.tif 000009
【図８】
2006155833.tif 000010